(57)【要約】【目的】本発明は、分電盤内のスイッチのＯＮの状態あるいはＯＦＦの状態をロックする分電盤スイッチ固定具に関し、作業者の体の一部や腰につけて工具などが分電盤内の非所望のスイッチに触れて切り換えて非所望の機器を停止させたり、重大な事故の発生を防止したりすることを目的とする。【構成】分電盤内のスイッチのＯＮの状態およびＯＦＦの状態のときにスイッチの先端部分に被せて当該スイッチをロックするための開口部を少なくとも有する平板状のスイッチ固定金具と、スイッチ固定金具の開口部をＯＮの状態あるいはＯＦＦの状態にあるスイッチに挿入したスイッチ固定金具の、１つあるいは複数を止め金具で固定する部分、および分電盤に固定する固定部を少なくとも有する分電盤固定金具とを備える。【選択図】        図１
2008079486.tif 000002
【特許請求の範囲】
【請求項１】
分電盤内のスイッチのＯＮの状態あるいはＯＦＦの状態をロックする分電盤スイッチ固定具において、
分電盤内のスイッチのＯＮの状態およびＯＦＦの状態のときに当該スイッチの先端部分に被せて当該スイッチをロックするための開口部を少なくとも有する平板状のスイッチ固定金具と、
前記スイッチ固定金具の開口部をＯＮの状態あるいはＯＦＦの状態にあるスイッチに挿入した当該スイッチ固定金具の、１つあるいは複数を止め金具で固定する部分、および分電盤に固定する固定部を少なくとも有する分電盤固定金具と
を備えたことを特徴とする分電盤スイッチ固定具。
【請求項２】
前記１つあるいは複数を止め金具で固定する部分に、前記平板状のスイッチ固定金具あるいは前記分電盤固定金具のいずれか一方あるいは両者にスライド部を設け、スイッチのＯＮの状態あるいはＯＦＦの状態で前記スイッチ固定金具と前記分電盤固定金具とをスライドさせて所望の位置にしてスイッチの状態を切り換えた後、前記止め金具で固定してロックすることを特徴とする請求項１記載の分電盤スイッチ固定具。
【請求項３】
前記１つあるいは複数を止め金具で固定する部分に、前記平板状のスイッチ固定金具にスイッチのＯＮの状態およびＯＦＦの状態に移動可能なスライド部を設け、および前記分電盤固定金具に任意のスイッチの場所に前記スイッチ固定金具を移動させるスライド部を設けたことを特徴とする請求項１記載の分電盤スイッチ固定具。
【請求項４】
前記分電盤固定金具を前記固定部で、分電盤に直接に固定あるいはスイッチを収納した箱に固定あるいは複数のスイッチを固定した固定板に固定することを特徴とする請求項１から請求項３のいずれかに記載の分電盤スイッチ固定具。
【発明の詳細な説明】
【技術分野】
【０００１】
本発明は、分電盤内のスイッチのＯＮの状態あるいはＯＦＦの状態をロックする分電盤スイッチ固定具に関するものである。
【背景技術】
【０００２】
メインスイッチ、漏電スイッチ、および個々のスイッチを収納した分電盤（配電盤）は、作業者が機器の作業時に鉄製の扉を開け、内部の前記スイッチのいずれかをＯＮからＯＦＦあるいはＯＦＦからＯＮに切り換え所望の機器に対する電源のＯＮあるいはＯＦＦを行った後、扉を閉め、機器の修理、設置などの作業を行っている。
【０００３】
この際、作業者が腰に装着する道具等により無意識に所望でない他のスイッチに触れて切り換えてしまい重大な事故、例えば昼夜運転中のコンピュータ装置の電源をＯＦＦにしてしまって停止させてしまうなどの事故が発生したり、更に、人命にかかわる事故の発生の可能性があるという問題がある。
【０００４】
このため、これれを防止するために、従来、作業者が分電盤内のスイッチなどに触れると、当該スイッチに触れたことを検出して当該スイッチに接続されたケーブルに電流が流れていると検出されたときに警報を発するという技術がある（特許文献１）。
【０００５】
また、スイッチの押しボタンの周囲に当該押しボタンを囲んで高い位置まで周壁を設け、不用意な接触などによる押しボタンの押下を防止する技術がある（特許文献２）。
【特許文献１】特開２００５−２５７３３６号公報
【特許文献２】特開平１０−０９４６５７号公報
【発明の開示】
【発明が解決しようとする課題】
【０００６】
上述した前者の技術では、作業者が分電盤内のスイッチを切り換えようとした場合、スイッチに触れたときに当該スイッチに接続されているケーブルに電流が流れていれば、確かに警報が発せられるために当該スイッチをＯＦＦに切断することを防止できる。しかし、ケーブルに電流が流れていなければ（あるいは電圧が印加されていなければ）、警報を発することができなく、非所望のスイッチの状態を切り換えてしまい、ときとして重大な事故を引き起こしかねないという問題ある。
【０００７】
また、上述した後者の技術では、スイッチの周囲に高い周壁を設けて不用意なスイッチの押下（切り替え）を防止するものであり、押しスイッチにしか適用できないと共に、完全に切り替えをロックし得ないという問題もあった。
【課題を解決するための手段】
【０００８】
本発明は、これらの問題を解決するため、分電盤内のスイッチに分電盤固定金具を装着して各スイッチのＯＮあるいはＯＦＦの状態が他の状態に遷移しないようにロックし、切換時は止め金具を緩めるなどして所望のスイッチの状態を遷移させた後に再び固定して全スイッチの状態をロックするようにしている。
【発明の効果】
【０００９】
本発明は、分電盤内のスイッチに分電盤固定金具を装着して各スイッチのＯＮあるいはＯＦＦの状態が他の状態に遷移しないようにロックし、切換時は止め金具を緩めるなどして所望のスイッチの状態を遷移させた後に再び固定して全スイッチの状態をロックすることにより、作業者の体の一部や腰につけて工具などが分電盤内の非所望のスイッチに触れて切り換えて非所望の機器を停止させたり、重大な事故の発生を防止したりすることが可能となる。
【発明を実施するための最良の形態】
【００１０】
本発明は、分電盤内のスイッチに分電盤固定金具を装着して各スイッチのＯＮあるいはＯＦＦの状態が他の状態に遷移しないようにロックし、切換時は止め金具を緩めるなどして所望のスイッチの状態を遷移させた後に再び固定して全スイッチの状態をロックし、作業者の体の一部や腰につけて工具などが分電盤内の非所望のスイッチに触れて切り換えて非所望の機器を停止させたり、重大な事故の発生を防止したりすることを実現した。
【実施例１】
【００１１】
図１は、本発明の１実施例構造図を示す。
図１において、スイッチ固定金具１は、スイッチ２の切り換える先端部に挿入してロックするための開口部１１および分電盤固定金具３のスライド部３１に対して直交方向にスライドするスライド部１２を設けたものであって、スイッチ２のＯＮの状態あるいはＯＦＦの状態のいずれのときでもスイッチ２の先端部分を開口部１１に入れて当該スイッチ２のＯＮ／ＯＦＦの切換を不可にしてロックするためのものである。
【００１２】
開口部１１は、スイッチ２の先端部分を挿入してＯＮの状態あるいはＯＦＦの状態にロックするためのものであって、スイッチ２の先端部分が丁度入るように、ここでは、矩形の穴である。スイッチ２の先端部分の形状に併せて矩形、円形などの任意の形に決めればよい。
【００１３】
スライド部１２は、スイッチ２がＯＮの状態あるいはＯＦＦの状態のいずれかでも分電盤固定金具３に固定できるようにスライド、図示の状態では左右の任意の位置にスライドするためのものであって、ここでは、止め金具１３を若干緩めた状態で左右にスイッチ２のＯＮの状態あるいはＯＦＦの状態のいずれにもスライドできる構造を持つものである。
【００１４】
止め金具１３は、スイッチ固定金具１のスライド部１２を、分電盤固定金具３のスライド部３１に固定する止め金具であって、右側に示すように、例えばネジとナットなどからなる止め金具である。他に、ワンタッチで固定するように、上部からツバ付の棒状のものを挿入して当該棒状の先端が広がって固定したり、先端部分のピンをスイッチ固定金具１の反対側に突出させて半回転して固定したりしてもよい。
【００１５】
スイッチ２は、分電盤内に固定されたスイッチ２であって、ここでは、スイッチ２の先端部分を左右に倒して（あるいはスライドさせて）ＯＮの状態あるいはＯＦＦの状態に切り換えるものである。
【００１６】
分電盤固定金具３は、スイッチ固定金具１をスライド部３１でスライド、図中で上下方向に移動させ、スイッチ２の位置に併せて止め金具１３で固定すると共に、固定部３２で分電盤（あるいは分電盤内の箱、あるいはスイッチ２を固定した固定板）に固定するものである。
【００１７】
スライド部３１は、スイッチ固定金具１をスライド、図中で上下方向に移動させ、スイッチ固定金具１の開口部１１が丁度スイッチ２の先頭部が入るように位置合わせするためのものである。
【００１８】
固定部３２は、分電盤固定金具３を分電盤（あるいは分電盤内の箱、あるいはスイッチ２を固定した固定板）に固定するものであって、ビスなどである（図５参照）。
【００１９】
次に、図２のフローチャートに従い、図１の構造の動作（取り付け手順）を詳細に説明する。
【００２０】
図２は、本発明の動作説明フローチャートを示す。
図２の（ａ）は、分電盤スイッチ固定具のセットの手順例を示す。
【００２１】
図２の（ａ）において、Ｓ１は、分電盤のスイッチをセットする。これは、作業者が、既述した図１の分電盤内の全てのスイッチ２についてＯＮの状態あるいはＯＦＦの状態のいずれかの所望の状態にそれぞれセットする。
【００２２】
Ｓ２は、分電盤固定金具３を分電盤に取り付ける。これは、作業者が、図１の分電盤固定金具３を、分電盤に固定部３２（例えばビス）で固定する（図５参照）。
【００２３】
Ｓ３は、スイッチがＯＮか判別する。これは、作業者が分電盤内のスイッチ２を見てＯＮの状態か判別する。ＹＥＳの場合には、Ｓ５でオン側にロック、即ち、図１の左側の上から２番目のスイッチ２に示すように、スイッチ固定金具１の開口部１１をスイッチ２の先端部に挿入した後、ＯＮの状態をロックするように、図示では右側に開口部１１を押し付けて左方向のＯＦＦの状態に変化しないようにしっかりロック（止め金具１３で固定してロック）し、Ｓ６に進む。
【００２４】
一方、Ｓ３のＮＯの場合には、Ｓ６でオフ側にロック、即ち、図１の左側の上から１番目のスイッチ２に示すように、スイッチ固定金具１の開口部１１をスイッチ２の先端部に挿入した後、ＯＦＦの状態をロックするように、図示では左側に開口部１１を押し付けて右方向のＯＮの状態に変化しないようにしっかりロック（止め金具１３で固定してロック）し、Ｓ６に進む。
【００２５】
Ｓ６は、スイッチに触れても動かない。これは、Ｓ４、Ｓ５で図１に示すように、オンの状態、オフの状態に併せてスイッチ固定金具１の開口部１１をスイッチ２の先端部に入れてオフのときは左側、オンのときは右側に当該開口部１１を押し付けた状態で止め金具１３で固定することにより、スイッチ２の先端部を不用意に作業者が触ってもロックされており、動かず、スイッチ２のＯＮの状態あるいはＯＦＦの状態に遷移させることができない。
【００２６】
以上のように、図１の分電盤内のスイッチ２のＯＮの状態あるいはＯＦＦの状態に併せて、スイッチ固定金具１の開口部１１を、スイッチ２の先端部が中に入るように被せた後、当該開口部１１を図１ではオフのときは左側、オンのときは右側に押し付けた状態で止め金具１３で分電盤固定金具３に固定することにより、スイッチ２のＯＮの状態あるいはＯＦＦの状態で１つ１つロックすることができ、作業者が不注意に触れてもロックされているので、スイッチ２が切り替わることを完全に防止することが可能となる。
【００２７】
尚、ここで、スイッチ２がオンの状態あるいはオフの状態のときに、開口部１１をより安全のためにオンの状態のときは図１で右側、オフの状態のときは図１で左側に押し付けたが、必ずしも必要ではない。例えば開口部１１をスイッチ２の先端部に被せたときに余裕がなくほぼ完全に納まったロックが確実にできるときは不要である。
【００２８】
図２の（ｂ）は、１つのスイッチのリセットの手順例を示す。
図２の（ｂ）において、Ｓ１１は、リセット対象のスイッチ２のロックを外す。これは、例えば図１の左側の上から１番目のスイッチ２のスイッチ固定金具１の止め金具１３を緩め、平板状のスイッチ固定金具１が図１では左右にスライド可能な状態にし、ロックを外す。
【００２９】
Ｓ１２は、スイッチの状態を変える。これは、Ｓ１１で図１の１番目のスイッチ固定金具１の止め金具１３を緩めて、当該スイッチ固定金具１が左右方向にスライド可能となっているので、スイッチ２の状態を変える、ここでは、オフからオンに変える（スイッチ２の先端部分を右側に移動させ、当該移動に伴いスイッチ固定金具１のスライド部１２が右方向に止め金具１３をスライドして変える）。
【００３０】
Ｓ１３は、スイッチをロックする。これは、Ｓ１２で図１の１番上のスイッチ２の先端部を右側に移動させてオンの状態に変えたので、止め金具１３を締めてロックする。これにより、作業者が当該スイッチ２に触ってもはオンの状態でロックされているので、切り換わらない。
【００３１】
以上のように、図１の分電盤内に複数のスイッチ２がロックされている状態で、いずれかの１つのスイッチ２の状態を切り換える場合、切換対象のスイッチ２のスイッチ固定金具１の止め金具１３を緩めてロックを外し（Ｓ１１）、スイッチ２の状態を切り換えるように図１で右方向あるいは左方向にスイッチ２の先端部分を移動させてスイッチ固定金具１も一緒に移動させた後、止め金具１３を締めてロックすることにより、ロックした複数のスイッチ２のうち任意の１つのスイッチ２のみのロックを外して切り換えた後に再ロックすることが可能となる。
【００３２】
図２の（ｃ）は、全スイッチのリセットの手順例を示す。
図２の（ｃ）において、Ｓ２１は、全スイッチリセット後、再度固定が必要か判別する。これは、図１の全スイッチ２をリセット後、再度固定が必要か判別する。ＹＥＳの場合には、全スイッチをリセット後に再度固定（ロック）が必要である場合であるので、全スイッチ２のロックを外し（止め金具１３を全て緩め）、全スイッチ２を任意の状態に変化させた後、Ｓ２２で全スイッチの固定スイッチのロックを行う（止め金具１３を再度、全て締める）。
【００３３】
一方、Ｓ２１のＮＯの場合には、全スイッチ２の固定（ロック）が不要と判明したので、分電盤固定金具３を分電盤から取り外す。これにより、図１の分電盤固定金具３を含めたスイッチ固定金具１などの全てが取り外され、元の状態に復帰したこととなる（作業終了後に元の状態に復帰したこととなる）。
【００３４】
以上のように、図１の分電盤内の全スイッチ２のリセット後に固定が必要なときは緩めた止め金具１３を全て締めることで全スイッチ２のロックを行うことが可能となる。一方、全スイッチ２のリセット後に固定が不要なときは分電盤固定金具３を分電盤から取り外し、作業が終了したので、作業前の元の状態に復元したこととなる。
【００３５】
図３は、本発明の説明図を示す。これは、スイッチ２のロック状態からスイッチ２の状態の変更の説明図を示す。
【００３６】
図３の（ａ）は、スイッチがオフのロック状態を示す。図示の状態では、スイッチ固定金具１の開口部１１が左側にスイッチ２の先端部に押し付けられた状態で止め金具１３で分電盤固定金具３のスライド部３１に固定され、スイッチ２の先端部がここでは、右方向のオンの状態に移動しないようにロックされている。
【００３７】
図３の（ｂ）は、止め金具１３を緩めてスイッチ２のロック状態を解除してスイッチ２の状態を変え得る状態にした様子を示す。これは、止め金具１３を緩め、スイッチ２の先端部をオフの左側から、オンの右側に作業者が移動させてスイッチ２がオンの状態に変え得るようにする。
【００３８】
図３の（ｃ）は、スイッチ２とスイッチ固定金具１を一緒に動かしスイッチ２の状態を変え、止め金具１３を締めて固定（スイッチオンのロック状態）する。
【００３９】
以上のステップにより、作業者は、スイッチ２の状態を変えようとする当該スイッチ２をロックしているスイッチ固定金具１の止め金具１３を緩め（図３の（ａ）、（ｂ））、スイッチ２の先端部を指先で移動、ここでは、オフの状態から、オンの状態の右方向に移動させると、止め金具１のスライド部１２が緩めた止め金具１３の部分をスライドして図３の（ｃ）の状態となるので、止め金具１３を締めて固定し、ロックすることにより、任意のスイッチ２のみロックを解除してスイッチ２の状態をオンからオフあるいはオフからオンに切り換えた後、再び、止め金具１３を締めることでロックすることが可能となるので、止め金具１３を緩めない他のスイッチ２の先端部にたとえ不用意に触ってもロックされているので状態を変えることを完全に防止できる。
【００４０】
図４は、本発明の説明図（その２）を示す。
図４の（ａ）は、スイッチ２にスイッチ固定金具１をかぶせる様子を示す。ここで、左側の分電盤内のスイッチ２に対して、右側のスイッチ固定金具１を図示矢印のように移動させ、当該スイッチ固定金具１の開口部１１を、スイッチ２の先端部にかぶせて当該先端部が開口部１１の中に納まるようにする。この際、予め図１の分電盤固定金具３を分電盤に固定し当該固定した分電盤固定金具３のスライド部３１を図示のように配置しておく（図５参照）。
【００４１】
図４の（ｂ）は、スイッチ固定金具１と分電盤固定金具３のスライド部３１を止め金具１３で固定する。これは、図中の矢印で示すように、図４の（ａ）でスイッチ固定金具１の開口部１１をスイッチ２の先端部に被せた状態で、当該図４の（ｂ）の矢印で示すように、止め金具１３でスイッチ固定金具１のスライド部１２と、分電盤固定金具３のスライド部３１とを止め金具１３で固定し、スイッチ固定金具１が移動しないようにロックしてスイッチ２の先端部がオン状態からオフ状態、あるいはオフ状態からオン状態に移動しないように完全にロックする。
【００４２】
以上のように、分電盤に分電盤固定金具３を固定した後、スイッチ固定金具１の開口部１１をスイッチ２の先端部に被せた後（図４の（ａ））、止め金具１３でスイッチ固定金具１のスライド部１２と、分電盤固定金具３のスライド部３１とを固定してロックし、スイッチ２の先端部がオフの状態からオンの状態、あるいはオンの状態からオフの状態に移動しないように完全にロックすることが可能となる。
【００４３】
図５は、本発明の具体応用例を示す。これは、分電盤を開けて分電盤固定金具１を固定部３２で固定する様子を示す。
【００４４】
図５の（ａ）は、分電盤の扉を開け、２つの分電盤固定金具３を固定部３２で分電盤の箱の外側からそれぞれ固定した様子を示す。そして、分電盤固定金具３のスライド部３１に、既述した図４の（ａ）（ｂ），（ｃ）のステップでスイッチ固定金具１の開口部１１をオンの状態あるいはオフの状態にあるスイッチ２の先端部に被せ、止め金具１３でロックする。そして、分電盤の扉を閉める。
【００４５】
図５の（ｂ）は、スライド部３１の要部を強調して表示した様子を示す。分電盤固定金具３を構成するスライド部３１は、図４で既述したスイッチ固定金具１のスライド部１２を止め金具１３で固定してロックするためのものであって、当該スライド部３１は分電盤の箱の長さにあうようにその長さを調整できるように、図示のようにスライドできるように構成している。これにより、分電盤の箱の長さに応じて図５の（ｃ−１），（ｃ−２）に示すように、当該スライド部３１の全体の長さを調整した後、分電盤に固定部３２で固定する。
【００４６】
図５の（ｃ）は、分電盤への分電盤固定金具３の取り付け方法の例を示す。
図５の（ｃ−１）は、分電盤の箱の外から固定部３２で分電盤固定金具３を固定する様子を示す。この場合には、図５の（ｂ）の分電盤固定金具３のスライド部３１を図５の（ａ）に示すように、分電盤の箱の外側から被せるように配置した後、スライド部３１の長さを調整して丁度箱に合うように固定する。次に、固定部３２で分電盤固定金具３を分電盤の箱の外側から図５の（ｃ−１）に示すようように固定する。
【００４７】
図５の（ｃ−２）は、分電盤の箱の内から固定部３２で分電盤固定金具３を固定する様子を示す。この場合には、図５の（ｂ）の分電盤固定金具３のスライド部３１を図５の（ａ）の分電盤の箱の内側に接するようにスライド部３１の長さを調整して固定する。次に、固定部３２で分電盤固定金具３を分電盤の箱の内側から図５の（ｃ−２）に示すように固定する。
【００４８】
尚、図５では、分電盤の外箱の外側あるいは内側から固定部３２で分電盤固定金具３を固定する例を説明したが、これに限らず、分電盤内に更に箱があるときは当該箱に固定してもよいし、更に、分電盤内にスイッチを固定した固定板があるときは当該固定板に固定するようにしてもよい。いすれにしても、固定部３２で分電盤固定金具３をスイッチ２に対して相対的に固定したり、固定を外したりできればよい。
【産業上の利用可能性】
【００４９】
本発明は、分電盤内のスイッチに分電盤固定金具を装着して各スイッチのＯＮあるいはＯＦＦの状態が他の状態に遷移しないようにロックし、切換時は止め金具を緩めるなどして所望のスイッチの状態を遷移させた後に再び固定して全スイッチの状態をロックし、作業者の体の一部や腰につけて工具などが分電盤内の非所望のスイッチに触れて切り換えて非所望の機器を停止させたり、重大な事故の発生を防止したりする分電盤スイッチ固定具に関するものである。
【図面の簡単な説明】
【００５０】
【図１】本発明の１実施例構造図である。
【図２】本発明の動作説明フローチャート（呼放棄記録）である。
【図３】本発明の説明図である。
【図４】本発明の説明図（その２）である。
【図５】本発明の具体応用例である。
【符号の説明】
【００５１】
１：スイッチ固定金具
１１：開口部
１２：スライド部
１３：止め金具
２：スイッチ
３：分電盤固定金具
３１：スライド部
３２：固定部
【図１】
2008079486.tif 000003
【図２】
2008079486.tif 000004
【図３】
2008079486.tif 000005
【図４】
2008079486.tif 000006
【図５】
2008079486.tif 000007